(57)【要約】【課題】散乱による混色は放射角の制御が困難で、吸収を伴って効率が低いため、放射角を制御して高効率に混色する照明装置および表示装置を実現する。【解決手段】導光板底部の水平面上側に短冊状凸反射面を稜に対称に組み合わせて画素ピッチＸで配置して凸反射面５Ａ，５Ｂを形成し、導光板底部の水平面下側に短冊状凸反射面を画素ピッチＸで配置して三角波状反射格子を形成する。稜をなす短冊状凸反射面の頂部における接線の傾斜に等しい仰角で、水平面上側に２色の平行光光源を対称方向に設け、水平面下側に３色目の平行光光源を設ける。２方向の光源を向いた凸反射面５Ａ，５Ｂに双方の平行光を入射してサブ画素２７Ａ，２７Ｂに光束を拡大して照射する。水平面下部の光源からの平行光を凸反射面５Ｃで反射して凸反射面５Ａ，５Ｂのピッチ間を透過させ、３番目のサブ画素２７Ｃに照射することにより３色を同一画素で混色する。【選択図】  図１３
2010186653.tif 000002
【特許請求の範囲】
【請求項１】
反射面あるいは屈折面を他の光源からの光が入射しない傾斜角を持たせた波状構造で並べて格子を形成し、複数光源からの光を反射面あるいは屈折面の形状により出射方向と放射角を一致させて混合することを特徴とする照明装置。
【請求項２】
平面の反射面を３０°の傾斜で三角波状に並べて格子反射面を構成し、
三角波状反射面の一方の光源側から入射した反射光と、三角波状反射面の他方の光源側から入射した反射光を同一方向に出射して混合することを特徴とする請求項１に記載の照明装置。
【請求項３】
湾曲した反射面を三角波状に並べて格子反射面を構成し、
三角波状反射面の一方の光源側から入射した反射光と、三角波状反射面の他方の光源側から入射した反射光を同一方向に混合して拡散光あるいは収束光を放射することを特徴とする請求項１に記載の照明装置。
【請求項４】
湾曲した反射面の光束拡大機能により、反射面の段差をサブ画素幅よりも縮小することにより、入射光の傾斜を縮小して光源部を薄型化することを特徴とする請求項１に記載の照明装置。
【請求項５】
導光板に複数の凸反射面を画素ピッチで格子状反射面を構成し、
上記凸反射面のピッチ間に別色光を透過させることにより３色光以上の混色を行なうことを特徴とする請求項１に記載の照明装置。
【請求項６】
入射角と出射角差の傾斜を持たせて三角波状に並べて高屈折率側から低屈折率側に出射する格子屈折面を構成し、
三角波状屈折面に一方の光源側からの入射光と、他方の光源側からの入射光を同一方向に屈折して出射し、混合することを特徴とする請求項１に記載の照明装置。
【請求項７】
交通信号機において、赤色発光素子６２０ｎｍ±１０ｎｍと緑色発光素子５１５ｎｍ±１０ｎｍを屈折面格子または反射面格子の対を成す光源部の焦点に設け、屈折面格子または反射面格子に照射して混色により５７０ｎｍ±１０ｎｍの黄色混色光を出射することを特徴とする請求項１に記載の照明装置。
【請求項８】
異なる励起波長を持つ複数の発光素子を用いて励起波長と蛍光波長の中間域を補完し、蛍光域の波高値を加算することにより励起光と蛍光の波高値を均等に混色することを特徴とする請求項１に記載の照明装置。
【請求項９】
車両用前照灯において、楕円鏡と双曲線鏡を組み合わせて台形状の反射格子を形成し、矩形の反射格子と組み合わせて斜めのカットオフラインを構成することを特徴とする請求項１に記載の照明装置。
【発明の詳細な説明】
【技術分野】
【０００１】
本発明は複数の発光素子からの光を格子状に構成した反射素子または屈折素子で出射方向を制御して混色特性を改善した照明装置および表示装置に関するものである。
【背景技術】
【０００２】
半導体発光素子は小型、高効率、長寿命、低電圧動作、高速応答などの優れた特徴のため各種表示装置・交通信号機などに広く使用されている。
赤、緑、青の３原色発光素子の加法混色による白色光は単体の発光スペクトル幅が狭いために不連続なスペクトル特性を持つが、液晶表示装置は赤、緑、青の３色の発光素子による不連続なスペクトルでも３色の制御信号によりその中間色を表示するため３色の発光素子を用いた３原色白色光を利用可能である。３色の発光素子を円錐内面に設けて後方散乱によって混色する距離を長くしている提案（図２７、特許文献１）は多重反射に伴って吸収が増えて効率が低下する。３色の発光素子を同一パッケージに収め、発光素子に近い部分の反射鏡の傾斜を急にして各発光素子と反射鏡の距離と角度の差異を緩和する提案があるが（図２８、特許文献２）、局部的条件でしか均等な混色が得られない。３色の発光素子を同一パッケージ内で十分に混色するのが難しく、素子の電源電圧が異なるなどの理由で下記の蛍光白色発光ダイオードが多く使用されている。
【０００３】
青色発光ダイオードの青色光を黄色蛍光体に照射し、補色による蛍光白色発光ダイオードのスペクトルは先鋭な青色となだらかな黄色域の２つのピークから成っている（特許文献３）。赤色域が非常に少なく、緑にも大きなディップを持つ青みの強いスペクトル特性である。しかし、蛍光白色発光ダイオードは３原色の混色に比べて容易なため携帯電話などの液晶表示装置のバックライトなどとして利用されている。
【０００４】
半導体発光素子の発光効率の向上に伴って蛍光ランプに比べて小型化が可能な発光ダイオードによる照明への応用が進められ、半導体発光素子が点光源に近い特長を生かして放射角の狭いプロジェクターなどに使用され始めている。発光ダイオードは許容温度上昇が他の光源に比べて小さいため、大きな光束を得るのは多数のチップが必要になり高価である。普及には低価格化する必要があり、効率を重視されて青みの強いスペクトルになっている。
最も比視感度の高い黄緑色付近の蛍光体を青色発光ダイオードで励起して補色による蛍光白色光を一般照明に使用した場合、赤色域やディップ波長域の被照射体は連続スペクトルの白色光に比べて暗くなる。赤色蛍光体などを混合する方法やイットリウムの一部をガドリニウムに置換して長波長側にシフトし、演色性を改善しつつ効率向上する提案がある（特許文献３）。
【０００５】
白色光バックライト光源からカラーフィルタで３色に分解する際に２／３の光量がカラーフィルタで吸収されて効率が低下するため、カラーフィルタを使用せずに３原色発光素子を用いて加法混色する方法として、導光板に４５°の溝を画素数設け、溝の界面で液晶パネル方向に全反射する導光板を３層重ねた提案がある（図２９、特許文献４）。複数の棒状導光体の界面に遮光層を設け、複数色発光ダイオードの色別光を遮光して棒状導光体内を伝播し、カラーフィルタを用いずに３色光を液晶ストライプに供給する方法が提案されている（図３０、特許文献５）。液晶パネルの３辺に３色の光源を設置し、導光板に四角錐をマトリックス状に設けて四角錐の傾斜面によって液晶パネルの所定の画素に照射する液晶表示装置が提案されている（図３１、特許文献６）。棚田状に凸反射面を配置した導光板に３原色の平行光を伝播させて画素方向に光束を拡大して反射し、各色の反射光を反射・透過素子でストライプに分配する提案がある（図３２、特許文献７）。
【０００６】
撮像用光源として線光源に近い３波長冷陰極管が多く使用されているが各色の蛍光材料が線スペクトルのため波長特性の凹凸が大きく、正確な色再現が出来ない。発光ダイオードの光度がピークの約半値になる半値幅は２０ｎｍ〜６０ｎｍのため６色〜９色を用いて可視光域をカバーする提案がある（特許文献７）。７種類の発光素子を基板中央付近に並べ、焦点面より浅い位置のレンズ内に封入し、焦点面の散乱材層で混色することにより各色の半値波長で繋げて白色光を形成し、線光源変換素子で変換してスキャナー光源としての応用が示されている。
【先行技術文献】
【特許文献】
【０００７】
【特許文献１】特開２００５−３５３５０６号公報
【特許文献２】特開２００４−８７９３５号公報
【特許文献３】特許３２４６３８６号公報
【特許文献４】特開平６−５９２５２号公報
【特許文献５】特開平２−１１１９２２号公報
【特許文献６】特開２００６−３２３２２１号公報
【特許文献７】特許４１１４１７３
【発明の開示】
【発明が解決しようとする課題】
【０００８】
３色の発光素子を同一パッケージに配置し、発光素子近傍の反射鏡の傾斜を急にするなどの構造によって混色する提案は各発光素子から反射鏡への距離と角度が異なるのでチップの並びに従った色斑を生じる。正反射による混色が難しいために散乱層を利用して円錐内面で後方散乱させて散乱距離を長く取るなどの混色のため、反射光が光源側に戻り多重反射の際に吸収されて効率が低下する。
【０００９】
青色発光ダイオードの青色光を黄色蛍光体に照射した補色による白色発光ダイオードは尖鋭なスペクトルの青色光となだらかな黄色光のスペクトルを持ち、赤色域と青緑色域が不足している。蛍光体の配合比率を増大するに従って青色光のピークが低下して蛍光のピークが増大するが、蛍光が進行方向の蛍光体に当たらずに透過すると黄色光を呈し、別の黄色蛍光体に当たると蛍光体が有色不透明で蛍光波長に対しては蛍光変換率が低いために吸収される。吸収を補って蛍光体配合比率を上げると更に効率が低下するため、蛍光白色発光ダイオードは効率を優先されて青色光スペクトルが大きい青白い光になっている。
【００１０】
演色性を改善するために広い波長帯域にわたって蛍光体を混合するとき、変換効率と比視感度に応じた蛍光体の配合比率で混合する必要がある。比視感度・変換効率の低い赤色などでは長波長蛍光体の量が増え、長波長蛍光体から発せられた光は短波長蛍光体では吸収だけで蛍光変換されないので更に蛍光体を増やす必要が生じる。黄色蛍光が黄色蛍光体に当たる確率と赤色蛍光が赤色蛍光体に当たる確率も増大して効率が低下する。このため、複数種の蛍光体を混合分散して連続スペクトルの白色光を実現するのは効率が低下する問題がある。
【００１１】
カラーフィルタを使用せずに３原色発光素子を用いて加法混色する方法として、導光板に４５°の溝を画素数設け、溝の界面で液晶パネル方向に全反射する導光板を３層重ねた提案は、４５°の傾斜をサブ画素数設けるため画面幅の１／３の厚さが必要になり、画面幅３００ｍｍでは導光板１層あたり１００ｍｍ厚が必要で、ストライプ数の溝を加工する工数により高価になる。
【００１２】
複数の棒状導光体の界面に遮光層を設け、色別光を遮光して棒状導光体内を伝播し、カラーフィルタを用いずに３色光を液晶ストライプに供給する提案は、遮光処理されたサブ画素幅の糸状導光部材を束ねて製造するのが難しく、遮光層を設けた透光シートを積層するとシート厚の公差が積算して液晶の画素寸法に一致しなくなる。各遮光層で仕切られた透光材内を拡散光が伝播するので、金属遮光膜の場合は反射する毎に吸収されて遠方ほど暗くなる。
【００１３】
導光板に四角錐による反射体を多数設け、３方向からの３原色光を画素に反射して混色する提案は、手前の四角錐に遮られて逆Ｖ型の反射光しか得られず、四角錐に斜めの平行光を照射すると側面にも当たるので散乱光になり他の画素に入射して不鮮明になる。
【００１４】
棚田状に凸反射面を配置した導光板と反射・透過素子でストライプに分配する提案は構造が異なる２種類の導光素子を用いるため正確な位置合わせが必要である。
【００１５】
交通信号機の発光ダイオードはレンズの指向性が広いため上空にも無駄に放射されるなど消費電流が多く、交差する道路側の信号が見えるため三差路など遮光板が必要な状況が多くある。太陽光を受けて非点灯の２灯も明るくなる擬似点灯現象があるため太陽光を遮蔽する遮光板が設けられている。
【課題を解決するための手段】
【００１６】
水平面上に短冊状反射面の長軸方向を光源からの平行光の進行方向に直交するように配置し、短冊状反射面の短軸方向を交互に±３０°の傾斜を持たせて三角波状に並べると、三角波状反射格子４が形成される。三角波状反射格子と短冊状反射面の短軸方向で斜め上方３０°の方向に平行光光源を対称位置に設けた構造を図１に示す。
夫々の平行光光源と三角波状格子の対をなす反射面が平行になっているので対をなす平行光光源側に配置された反射面には入射出来ず、水平面から３０°上方の平行光光源双方からの平行光は三角波状反射鏡の光源方向反射面に沿って入射する。対向する光源の平行光に沿った反射面に入射すると、双方から入射した光はいずれも鉛直上方に反射する。
三角波状格子の傾斜および傾斜光の傾斜角度をα、傾斜面の法線と鉛直方向のなす角度をβとすると、数１のように傾斜αは３０°である。
【数１】
2010186653.tif 000003
図２の平面図のように、左右平行光光源からの反射光はいずれも光源側の反射面に従った櫛形になり、左右からの平行光が櫛形に交互に並んだ反射光である。格子ピッチを肉眼では認識出来ない寸法のストライプにして左右の平行光光源を別色の２色にすると併置加法混色される。
【００１７】
散乱面あるいは拡散材を分散した拡散板などで混色すると無指向性の非常に広い放射角度で散乱するが、反射格子により櫛形に交互に並んだ反射光にして加法混色すると平行光として出射するのでその後の処理が容易になる。
放物面鏡６の焦点に発光素子１を設置すると平行光を得ることが出来るが、発光ダイオードのチップ寸法は各辺約２５０μｍのため放物面鏡の焦点に設けた発光素子の寸法により中心部と周辺部から発光された光に光路差が生じて図３に示す平行光からの誤差を持っている。外周部から発光された平行光からの誤差角度θは、発光素子の中心から外周部までの長さｒ、放物面鏡の座標ｍ（ｘ，ｙ）、焦点距離ｐにより数２で示され、誤差角度θを小さくするには焦点距離を大きくする必要がある。
【数２】
2010186653.tif 000004
ｐ＝２．５ｍｍの放物面鏡の反射位置ｙ依存性を図４に示す。
【００１８】
出射光を平行光でなく拡散光あるいは収束光にするにはレンズ、反射鏡などを併用して放射角を制御出来るが、レンズに拠らなくとも格子反射面を曲面にすることにより放射角を制御することが出来る。反射格子を凸反射面５で形成して光束を拡大する状態の側面図を図５に示す。対を成す曲面の放射角方向が等しくなければ見る方向によっては片方だけの成分になって色斑を生じる。図５では格子の谷部における左側光源光の反射光と格子の頂部における右側光源光の反射光が平行になり、格子の頂部における左側光源光の反射光と格子の谷部における右側光源光の反射光も平行になっている。拡散光であってもこの範囲内で左右の光が対をなして平行に出射することにより均等に混合される。鉛直方向からの放射角γを決定するための入射光の傾斜α、頂部傾斜α、谷部傾斜βの関係を数３と図６に示す。
【数３】
2010186653.tif 000005
放射角γ＝６°ではα＝２８°、β＝３４°、
放射角γ＝３０°ではα＝２０°、β＝５０°である。照明装置としてはこの放射角γの他に発光素子寸法による誤差角度θも加算する必要がある。
短冊状の反射面を長軸方向にも曲面を形成することにより長軸方向の放射角δを制御することが出来る。短冊状反射面の長軸方向の曲率半径Ｒは、短冊状反射面の長軸方向の長さをＬとして数４で示される。
【数４】
2010186653.tif 000006
【００１９】
放物線に接する曲率円は光軸方向の焦点付近までの狭い範囲であれば放物線に近似するため、放物面鏡に限らず研磨が容易な放物線近似球面鏡で近似することも出来る。発光素子は湿気などからの保護のために樹脂モールドされるため、モールドの外面に鏡面を設けると反射鏡と焦点が一体化しているので焦点位置調整が不要になる。
楕円鏡、双曲線鏡の場合は格子の稜線が曲線になり、楕円鏡８と双曲線鏡９を組み合わせることにより曲線反射格子を形成することが出来る。楕円鏡と双曲線鏡を対にしたユニットを多数用いた円環状反射格子を図７に示す。顕微鏡照明、医療用照明、ダウンライトなど径の小さな環状照明装置に適している。円環の径が大きい場合は図１または図３の反射格子で近似させることも出来る。
【００２０】
三角波状格子を用いて３色を混合するために、傾斜反射面の底部に透光性の開口部を設けた構造を図８に示す。傾斜光を開口部に当たらないようにするには反射面の傾斜θｓを数５により３５．３°にする必要がある。
【数５】
2010186653.tif 000007
入射光の傾斜θｒが１９．５°あるので平行光に変換する光源部の厚さ方向の寸法が大きくなるが、前方の光源部の寸法が影響しないプロジェクターなどに適している。
【００２１】
液晶表示装置のように画素数が多い場合は上記の構成では光源部が非常に厚くなる。格子反射面を凸反射面５で形成して光束を画素幅に拡大すると、凸反射面の曲面長さサブ画素幅を光束拡大率で割ったもので済む。平行光が凸反射面で光束を拡大して被照射面におけるサブ画素の透過部の幅Ｗに拡大する様子を図９に示す。被照射面までの距離ｔは導光板厚と液晶透明基板厚の和になり、サブ画素の透過部の幅をＷ、導光板凸面傾斜部の円周に沿った曲面長さをｄとすると、凸反射面の曲率半径rは数６で示される。
【数６】
2010186653.tif 000008
入射光の傾斜θｉ は段差ｓと画素幅Ｘより数７で求められる。
【数７】
2010186653.tif 000009
段差を１０μｍ、画素幅４００μｍのときθｉ は１．４３°になり、上記の１９．５°の１／１３に緩くすることが出来るため光源部の薄型化が可能になる。薄型化により導光板が可能になり、凸反射面による全反射を利用することが出来るので鏡面形成が不要である。２方向の光源に対向する凸反射面を画素幅毎に設けた構造を図１０に示す。要部を拡大しているのでθｉは１．４３°より大きく表示されている。図１０は２枚の導光板で構成されているが、各導光板とも２方向の光源に対向する凸反射面で構成されている。凸反射面ピッチ間の水平面に別色光を透過させることで３色以上の混色が可能になり、図１０は同一導光板をずらして配置することにより４色を混色する状態を示している。導光板出射面に凸屈折面を設けて平行光に戻す場合で表示している。
【００２２】
図１１は液晶表示装置のサブ画素に３色を供給して混色する状態を示したものである。図１０と図１１では２枚の導光板を使用しているが、これらの要素を統合すると図１２のように１枚の導光板で３色ストライプを実現することが出来る。１枚構成の導光板のため画素の位置合わせが不要になり生産性が向上し、材料費を半減することが出来る。図１２の要部を図１３に拡大して説明する。
画素を３つのサブ画素で構成する１番目のサブ画素２７Ａに入射する細線の光は右端の凸反射面５の上端を越えて中央の凸反射面５Ａに入射している。凸反射面で全反射し、光束を拡大してサブ画素幅に照射する。破線の光は左側の凸反射面に入射して光束を拡大して２番目のサブ画素に入射し、３色目の光は導光板の下部から入射している。導光板の下部に突き出した入射部は入射光線に垂直な面を構成し、突起部の後面を凸反射面５Ｃにして３番目の画素に光束を拡大して照射している。５Ｃ面に対称な反射面を形成すれば４色表示も可能である。
【００２３】
３色の発光ダイオードを混色する提案はいずれも非対称性のために混色が不十分だが、傾斜が３０°の三角錐反射面で３方向の平行光を鉛直方向に反射すると正三角形配置のデルタ配列で混合して出射することが出来る。傾斜３０°の正三角形三角錐を凸型と凹型で構成し、凸型三角錐の頂部を○で、凹型三角錐の谷部を●で表すと、３方向を向いた傾斜面の形状は図１４のように菱形を組み合わせたものである。三角錐反射面に照射する光源は図１４のように３方向に配置し、水平面に３０°下向きに照射する配置のため、各反射面は対向する光源以外からの入射はなく、手前の三角錐に遮られることのない構造である。三角波状格子と同一の傾斜面のため紙面の垂直方向に３色の混色光を平行光として出射するため３原色表示装置の光源などとして利用することが出来る。
【００２４】
三角波状格子は反射面にして混色するのに限らず、屈折面で構成することも出来る。２つの方向から入射して三角波状に構成された面で屈折して平行光として出射する状態を図１５に示す。
屈折格子構成物質の屈折率ｎ２、周囲媒体の屈折率ｎ１とし、右側光源からＶ字状の右側傾斜面に角度αで入射した光は数８により角度βで屈折する。Ｖ字溝の傾斜面角度は中心線に対してγとして対向する屈折面に平行に入射するので右側光源光は右側傾斜面にしか入射せず、傾斜面と入射光は対称なので左側光源光も同様である。Ｖ字溝の傾斜面角度γを数８のようにβとαの差で設定することにより双方の屈折光は中心線に平行に出射する。屈折格子の水平面に角度δで左右から対称に入射すると屈折面に角度αで入射するので混色して平行光として出射する。
【数８】
2010186653.tif 000010
代表的な透光高分子であるポリメチルメタクリレートとポリカーボネートにおけるα、β、γ、δを示す。
【表１】
2010186653.tif 000011
屈折による混色は屈折率の制約から図１６のように進行方向に長い形状になるが、光源部が格子面の裏側になるので図２３の実施例のように全面を均一に表示可能である。屈折格子は進行方向に積み重ねることが出来るので反射形と組み合わせることによって４方向あるいは６方向の混合が可能である。４方向の混合装置を図１７、図１８に示し、８方向の混合装置を図１９、図２０に示す。
【００２５】
個別発光素子で連続スペクトルを得るには、発光ダイオードの光度がピークの約半値になる波長幅は２０ｎｍ〜６０ｎｍのため、各色の半値波長で繋げて６色〜９色を用いると可視光域をカバーして連続スペクトルの白色光を実現可能である。
反射形と屈折形を併用して図１９、図２０のような構造により８色を混合することが出来、散乱による混色でないので放射角の狭い白色光を照射することが出来る。図１０に示した導光板によっても多色混合可能だが、図２０では４対の反射格子を載せる基板を放熱器に利用出来るので放熱が容易である。８色を混合すると図２１のように連続スペクトルの白色光を合成することが出来る。
【００２６】
複数の蛍光体を混合して蛍光白色発光ダイオードを広帯域化するとき、蛍光体を多量に混合することにより蛍光を他の蛍光体で吸収されて効率が更に低下する。単一発光素子で全帯域を蛍光変換すると変換効率が掛かる。このため、蛍光体を混合するのでなく、反射格子によって混色する方法を以下に示す。
第１の発光素子を青色発光ダイオードとし、黄色蛍光体による波高値が青色光波高値の約半分の２山特性となるように蛍光体を分散すると、青緑色にディップを持ち、赤色域の低下した特性である。
第２の発光素子は第１の発光素子のディップ波長で発光する青緑色発光ダイオードとし、橙色蛍光体による波高値が青緑色光波高値の約半分の２山特性となるように蛍光体を分散すると、緑色にディップを持つ特性である。
図１または図３に示す反射格子を用いて第１の発光ダイオード光と第２の発光ダイオード光を加法混色すると、第１発光ダイオードの青緑色ディップは第２発光ダイオードの青緑光で補完される。
第１の発光ダイオードの蛍光と第２発光ダイオードの蛍光スペクトルはブロードなため、加法混色によりそれらの中間波長である黄色は概略均等に加算されて波高値が高くなり、緑色光は第１発光ダイオード光を主体にして第２発光ダイオード光で補われる。赤色光は第２発光ダイオード光を主体にして第１発光ダイオード光で補われ、緑色から赤色域にかけて波高値が励起光に概略等しく、なだらかな連続スペクトルの蛍光を得ることが出来る。合成前と合成後のスペクトル特性を図２２に示す。連続スペクトルの白色光を格子状混色素子と２種類の蛍光変換発光素子で実現することが出来る。蛍光体で広帯域特性を得る方法は効率が低下するが、２山特性の不足領域を発光波長とする発光ダイオードで補うと蛍光変換効率が掛からないため、高効率に連続波長を実現出来る。
【発明の効果】
【００２７】
複数の発光素子と反射鏡の距離と角度の非対称性による色斑を生じていたが、別の光源光が混入することを防止する反射格子または屈折格子を用いて混合し、同一放射角で出射することにより色斑を防止することが出来る。
反射格子を凸反射面にすることにより入射光の傾斜を小さくして光源部を薄型化することが出来る。薄型化により導光板を使用した全反射を利用することが出来るため鏡面形成が不要になって生産性が向上する。
凸反射面格子を３方向に向けた構造により３色ストライプを１枚の導光板で実現することが出来るため、位置合わせが不要になり生産性が向上し、材料費を削減することが出来る。
蛍光白色発光ダイオードのスペクトルは先鋭な青色となだらかな黄色域の２つのピークから成っているが、色斑を生じない混色装置を用いることにより複数の励起光を利用することが出来、高効率に連続スペクトルを実現することが出来る。
反射格子あるいは屈折格子で混色することにより、蛍光体を多成分系で混合してスペクトルを広帯域化する方法よりも高効率に連続スペクトルの白色光を得ることが出来る。
【図面の簡単な説明】
【００２８】
説明の都合上、要部を拡大して表示するため、必ずしも相似関係にはなっていない。
【図１】三角波状反射格子の側面図
【図２】三角波状反射格子の平面図
【図３】光源寸法による放射角誤差
【図４】放射角誤差の反射鏡ｙ位置依存性
【図５】三角波状凸面反射格子の側面図
【図６】頂部傾斜・谷部傾斜と放射角
【図７】楕円鏡・双曲線鏡光源部を使用した円環状照明装置
【図８】反射格子と透過部を併用した３色ストライプ表示装置
【図９】凸反射面による光束拡大
【図１０】凸反射面格子と透過部を併用した多色ストライプの導光板
【図１１】凸反射面格子と透過部を併用した２層構造の３色ストライプの導光板
【図１２】凸反射面格子を導光板底面側に配置した１枚構成の３色ストライプの導光板
【図１３】１枚構成の３色ストライプ導光板の要部
【図１４】三角錐ドット配列格子の凸部と凹部
【図１５】三角波状屈折面格子による混色
【図１６】三角波状屈折面格子による混色装置
【図１７】反射屈折格子による４色混合装置の平面図
【図１８】反射屈折格子による４色混合装置の側面図
【図１９】反射屈折格子による８色混合装置の側面図
【図２０】反射屈折格子による８色混合装置の斜視図
【図２１】反射屈折格子による８色混合白色光源のスペクトル
【図２２】２種類の蛍光白色発光素子の混色による合成スペクトル
【図２３】屈折格子による交通信号機の表示面
【図２４】反射格子による交通信号機の表示面
【図２５】凸面格子ユニットの断面図
【図２６】車両用前照灯の正面図
【図２７】円錐型散乱面による従来の混色装置における前方散乱光のみを示した模式図
【図２８】チップ近傍の反射鏡を急傾斜にして色斑を緩和して混色する従来のパッケージ
【図２９】４５°の溝の界面で液晶パネル方向に全反射する３層を重ねた導光板
【図３０】ストライプ幅の積層導光体により３色光を液晶ストライプに供給する従来例
【図３１】導光板に設けた四角錐の傾斜面によって３色光を所定の画素に照射する従来例
【図３２】棚田状凸反射面導光板とストライプ分配素子による３色液晶表示装置
【発明を実施するための形態】
【００２９】
実施例１
反射面を格子状に配置した３色ストライプに混合する液晶表示装置の照明装置を図１２に、要部を図１３に示す。対角５１０ｍｍ（２０．１型）、ＸＧＡ（１０２４×７６８）のとき、画面寸法は横４０８ｍｍ、縦３０６ｍｍ、画素ピッチ３９９μｍ、サブ画素ピッチ１３３μｍである。
３方向を向く３種類の凸反射面は１０２４段を画素ピッチで均等に配置した構造のものである。導光板の凸反射面段差が画素寸法より小さいために画素寸法に拡大するが、導光板厚が一定のため凸反射面の曲率半径は一定である。導光板厚ｔを１０ｍｍ、凸反射面の段差ｓを１０μｍとすると曲率半径ｒは１５９μｍである。光源からの平行光線をほぼ鉛直方向にある液晶のサブ画素に向けて反射するもので、全反射臨界角以上に傾斜することにより反射層を形成する必要がなく製造費用削減が可能である。
発光ダイオードを光源部の放物面鏡の焦点に放物面鏡の反射光を遮らない位置にオフセットして配置する。光度２５０ｍｃｄの発光ダイオード各色１２８個を配置することにより、光透過率４０％のとき輝度３０７ｃｄ／ｍ２が得られる。
透明材料としてポリメチルメタクリレート、脂環式アクリル樹脂、環状オレフィン樹脂、ポリカーボネート、光硬化アクリル樹脂などが可能で、射出圧縮成型などにより成型出来る。光硬化アクリル樹脂は低粘度のモノマー、オリゴマーを出発原料に重合するため精密な成型が可能である。
【００３０】
実施例２
２色の平行光を格子反射面または格子屈折面に入射して混色する実施例として赤色発光ダイオードと緑色発光ダイオードを用いて黄色を合成する信号機について、屈折格子による例を実施例２、反射格子による例を実施例３で説明する。青信号と呼称されるが正しくは緑色である。色覚障害対策として青みを帯びた緑色で表示されている。黄色信号は橙色を帯びた橙黄色で表示されている。
赤色発光素子６２０ｎｍ±１０ｎｍと緑色発光素子５１５ｎｍ±１０ｎｍを図１６の放物面鏡の焦点に設け、色度座標上の色度と輝度に２色の駆動電流を設定して屈折面格子に照射し、混色による黄色５７０ｎｍ±１０ｎｍを表示することが出来る。５００ｎｍ以下の青緑色発光ダイオオードを用いて赤色発光ダイオードと混色すると色度座標上の直線が白色域に近づいて淡黄色になるので５１５ｎｍ±１０ｎｍの緑色発光ダイオードを用いている。これにより混色直線が馬蹄形をした色度座標の右側縁面に沿うために濃い黄色を混色することが出来る。
従来の信号機は指向性が広いため交差する道路側の信号が見えるばかりでなく、上空にも放射しているので消費電流が多くなっているが、必要な指向性範囲にすると消費電流を低減し、素子数の低減により製造コストも削減することが出来る。上空や交差する道路まで照射する指向性は消費電流が無駄になるが、上下方向の放射範囲を水平面以下、左右方向の放射角を±４５°の範囲にすると消費電流を約１／４に削減することが出来る。このため、１つの表示面に赤と緑の素子を半々で設けても必要な光量得ることが出来る。近年発光効率の向上が著しいが、従来の表示面は発光素子のドットが目立つため素子数を削減すると更に荒い表示になるので素子数の削減は困難である。しかし、屈折格子は櫛型を認識出来ない幅で表示し、光源部が表示面の裏側にあるので全体が均一に表示される。このため、指向性の制御と発光効率に応じて発光素子数を削減することが出来る。
図１６に示すユニットの直径２５ｍｍにすると図２３に示す直径３００ｍｍの表示面に約１２０ユニット並べることが出来る。屈折格子を８対設けると片側面で１．５ｍｍ幅の櫛形になり、赤または緑表示のときは格子の片側面から櫛形に出射する。赤色光と緑色光が幅１．５ｍｍの屈折格子から出射したとき、信号機表示面までの距離により格子を認識出来ず、放射方向の一致により色斑の発生も起こらない。必要な指向性範囲に拡散光を出射する手段は図１６に示す凹レンズアレイである。凹レンズアレイは防塵・防水を兼ねたフードとしての機能も持っている。
従来の３灯信号機では太陽光を受けて非点灯の２灯も明るくなり輝度差が低下する擬似点灯現象があるが、屈折格子による混色では表示面が１灯なので擬似点灯現象は発生せず、黄色の発光素子を削減し、更に指向性の制御による素子数の低減で信号機をコスト削減することが出来る。
【００３１】
実施例３
赤色発光ダイオードと青緑色発光ダイオードを反射格子により黄色を合成する信号機を実施例２との相違点について説明する。図５に示すユニットの反射格子面を１９ｍｍ角にすると図２４に示す直径３００ｍｍの表示面に約１２０ユニット並べることが出来る。反射格子を８対設けると片側面で１．５ｍｍ幅の凸反射面になり、赤または緑表示のときは格子の片側面から櫛形に出射する。赤色光と緑色光が幅１．５ｍｍの反射格子から出射したとき、信号機表示面までの距離により格子を認識出来ず、放射方向の一致により色斑の発生も起こらない。
反射格子は湾曲反射面により指向性を拡げ、発光素子寸法に由来する放射角を加えた指向性を持つが、反射格子の設置面を湾曲して指向性を設定可能である。このため反射格子の湾曲設置面により道路状況に応じた指向性に設定出来る。指向性の制御は屈折型よりも自由度が広い特徴がある。反射格子形は光源部が並ぶ構造のため反射面の占積率は６０％である。砲弾型発光ダイオードを使用した従来の信号機の表示面で発光素子のドットが目立つのはレンズ形状から先端付近だけが輝くためで、光輝部分が占める面積率は約５０％である。このため、従来と同等以上の光輝部の占積率である。
【００３２】
実施例４
凸反射面による反射格子を用い、放射角を格子の直交方向で差を持たせた実施例として車両用前照灯について説明する。光源は青色発光ダイオードに黄色蛍光体を用いた蛍光白色発光ダイオードと、青緑色発光ダイオードに橙色蛍光体を用いた蛍光白色発光ダイオードを混色して可視光域をカバーする白色光源である。放射角などを変更すればスポットライトなどにも応用することが出来る。
車両用前照灯の上下方向の放射角を１０°として光源寸法による誤差角度約４°を差し引くと反射格子に直行方向の放射角γは６°である。数３より傾斜光と頂部の傾斜αは２８°、谷部の傾斜βは３４°である。反射格子に平行方向の放射角を２０°とし、反射格子短冊の長さを１４ｍｍとすると、数４より曲率半径は４０ｍｍである。４対の凸反射面格子構成の断面図を図２５、車両用前照灯の正面図を図２６に示す。
左右の光源部の一方は青色発光ダイオードに黄色蛍光体を用いた蛍光白色発光ダイオード、他方は青緑色発光ダイオードに橙色蛍光体を用いた蛍光白色発光ダイオードである。
楕円鏡の一方の焦点に発光素子、他方の焦点に蛍光体を設けている。励起光を受けた蛍光体から後方と前方の放物面鏡に蛍光を発し、後方の放物面鏡からの平行光は平面鏡で方向変換して平行光を反射格子方向に照射している。
発光素子に４０ｍＡの順電流を流すと２光源から成る１ユニットで０．２８Ｗになり、このユニットを横に１１列、縦に８列の計８８ユニット使用して変換効率６０ｌｍ／Ｗ  で１４８０ｌｍの光束を得られる。寸法は横１６０ｍｍ、縦１７０ｍｍである。混色したスペクトルは図２２に示したものである。
すれ違いビームのときは下５列を点灯すると９２０ｌｍになり、図２８のようにユニットの配置にカットオフラインを設けると対向車への防眩効果を増すことが出来る。カットオフラインの斜めの反射格子は楕円鏡と双曲線鏡を組み合わせて台形状の反射格子にしたものである。図２８は左側走行車両の場合を正面視したもので、上３段を消灯してすれ違いビームの状態を示したものである。
反射格子はアルミニウムなどの金属鏡面を利用すると放熱板を兼用することが出来る。上記構成による走行ビームのときの全損失は２４．６Ｗになる。反射格子アレイの周囲に３０ｍｍ幅の取り付けスペースを設けたときの放熱板寸法は横２２０ｍｍ、縦２３０ｍｍである。
この放熱板の後方にダクトを設け、風速ｕ＝１０ｍ／ｓ（３６ｋｍ／ｈ）以上の走行風または強制対流で冷却すると、数９により温度上昇は約２５℃である。放熱板からダクトの壁面全体に熱伝導して放熱に利用出来るので温度上昇を約２８℃よりも低下させることが出来る。数９は放熱板温度における空気の物性値を用いるので繰り返し計算が必要だが、収束条件付近の５０℃における物性値
プラントル数Ｐｒ：０．７１
熱伝導率λ：０．０２４１［Ｗ／ｍ℃］
動粘性係数ν：１．８６×１０−5［ｍ２／ｓ］
を用いてレイノルズ数Ｒｅ、ヌセルト数Ｎｕ、平均熱伝達率α、温度上昇Ｔは数９より求められる。放熱板の縦寸法Ｌ、横寸法Ｗとし、外気温度は２０℃とする。
【数９】
2010186653.tif 000012
【００３３】
実施例５
楕円鏡と双曲線鏡の組み合わせを多数用いて図７に示す円環状反射格子を形成し、環状のダウンライトの実施例を説明する。
ダウンライトは放射角が約±３０°のため反射格子は凸面鏡による構成である。直径１２０ｍｍの外形に楕円鏡と双曲線鏡を３２対用い、発光素子に４０ｍＡの順電流を流すと３２対の光源で９Ｗになり、変換効率６０ｌｍ／Ｗ  で５４０ｌｍの光束を得られる。発光素子からの直接光が円環状反射格子に入射すると混色特性を低下するので発光素子を軸外楕円鏡と軸外双曲線鏡の焦点に設ける構造である。
対を成す光源部の一方は青色発光ダイオードに黄色蛍光体を用いた蛍光白色発光ダイオード、他方は青緑色発光ダイオードに橙色蛍光体を用いた蛍光白色発光ダイオードで、混色したスペクトルは図２２に示したものである。
【００３４】
実施例６
反射形と屈折形を併用して図１７、図１９、図２０に示す構造により８色を混合した白色光源の実施例について説明する。
三角波状反射格子は幅１０ｍｍ、長さ１０ｍｍの反射面に１０対の格子を設けたものである。８色の発光素子を反射格子ユニット４個に使用し、ポリメチルメタクリレートによる頂角５３．２°の屈折型格子を２回通して混色すると図２５のように連続スペクトルの白色光を合成することが出来る。可視光域の抱絡線が５５００Ｋの白色光に近似するので高い色再現性を求める用途に適し、赤外線を含まないので温度上昇を避け、紫外線による損傷を避けることが出来る。
【符号の説明】
【００３５】
１：発光素子                          ２：発光素子周囲凹面鏡
３：蛍光反射凹面鏡                    ４：三角波状反射格子
５：凸面反射格子                      ６：放物面鏡
７：蛍光体膜                          ８：楕円鏡
９：双曲線鏡                          １０：凸屈折面
１１：凹屈折面                        １２：蛍光粒子
１５：屈折格子                        １６：励起光
１７：蛍光                            １８：透光物質
１９：平行光                          ２０：拡散光
２１：凹面鏡                          ２２：凸面鏡
２３：開口部                          ２４：導光板
２５：平面鏡                          ２６：遮光体
２７：サブ画素                        ２８：液晶挟持基板
２９：基板                            ３０：回路基板
３１：谷部                            ３２：頂部
３３：楕円                            ３４：空気層
３７：入射面                          ３８：支持部材
３９：散乱面                          ４０：焦点
４１：ストライプ分配素子              ４２：溝
４３：四角錐                          ４４：カットオフライン
【図１】
2010186653.tif 000013
【図２】
2010186653.tif 000014
【図３】
2010186653.tif 000015
【図４】
2010186653.tif 000016
【図５】
2010186653.tif 000017
【図６】
2010186653.tif 000018
【図７】
2010186653.tif 000019
【図８】
2010186653.tif 000020
【図９】
2010186653.tif 000021
【図１０】
2010186653.tif 000022
【図１１】
2010186653.tif 000023
【図１２】
2010186653.tif 000024
【図１３】
2010186653.tif 000025
【図１４】
2010186653.tif 000026
【図１５】
2010186653.tif 000027
【図１６】
2010186653.tif 000028
【図１７】
2010186653.tif 000029
【図１８】
2010186653.tif 000030
【図１９】
2010186653.tif 000031
【図２０】
2010186653.tif 000032
【図２１】
2010186653.tif 000033
【図２２】
2010186653.tif 000034
【図２３】
2010186653.tif 000035
【図２４】
2010186653.tif 000036
【図２５】
2010186653.tif 000037
【図２６】
2010186653.tif 000038
【図２７】
2010186653.tif 000039
【図２８】
2010186653.tif 000040
【図２９】
2010186653.tif 000041
【図３０】
2010186653.tif 000042
【図３１】
2010186653.tif 000043
【図３２】
2010186653.tif 000044
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
基板の水平面上に短冊状平面反射面の長辺を基板の水平面に接して、短冊状平面反射面の長軸方向を光源からの平行光の進行方向に直交する方向に配置し、
隣接する短冊状平面反射面の長辺同士を接して連続して並べることにより三角波状反射格子を形成し、
長辺同士が接する短冊状平面反射面の短軸方向が水平面となす傾斜を２つの短冊状平面反射面で等しく対称に設け、
２つの平行光光源を短冊状平面反射面の短軸方向の傾斜と等しい仰角で対称方向に設け、
対称方向にある平行光光源双方からの平行光は夫々、平行光の進行方向に平行に配置された短冊状平面反射面に入射せずに、平行光光源に対向する側の反射面だけに入射して基板平面の鉛直上方に反射し、
双方の平行光光源から入射した光をいずれも鉛直上方に反射することにより出射方向を一致させて混合することを特徴とする照明装置。
【請求項２】
基板の水平面上に菱形の平面反射面の一方の対角線を基板の水平面に平行にして、３方向にある平行光光源からの平行光の進行方向に直交する方向に夫々菱形の平面反射面を配置し、
隣接する菱形の平面反射面の水平対角線より上側にある辺同士を接して三角錐状に並べることにより水平面より上側に凸型の三角錐反射格子を形成し、
隣接する菱形の平面反射面の水平対角線より下側にある辺同士を接して三角錐状に並べることにより水平面より下側に凹型の三角錐反射格子を形成し、
水平面から等しい仰角をなし３方向にある平行光光源からの平行光が夫々隣接する２方の反射面には入射せずに、三角錐反射面の光源を向いた側の反射面だけに入射して基板平面の鉛直上方に反射し、
３方向から入射した光はいずれも鉛直上方に反射することにより出射方向を一致させて混合することを特徴とする請求項１に記載の照明装置。
【請求項３】
水平面上に短冊状凸反射面の長辺を水平面に接して、短冊状凸反射面の長軸方向を光源からの平行光の進行方向に直交する方向に配置し、
短冊状凸反射面の長辺同士を接して稜に対称に並べ、
被照射寸法Ｗ、被照射面までの距離ｔ、凸反射面の傾斜幅ｄに応じて曲率半径ｒが
ｒ＝２・ｔ・ｄ／（Ｗ−ｄ／√２）
で設定される短冊状凸反射面の短軸方向の曲率半径とし、
短冊状凸反射面の頂部と短冊状凸反射面が水平面に接する位置を結ぶ線が水平面となす傾斜を、
短冊状凸反射面の段差ｓを画素ピッチＸで除してその逆正接による傾斜θi＝ｔａｎ−１（ｓ／Ｘ）
とし、
長辺同士が接した稜に対称な短冊状凸反射面を画素ピッチＸで配置して三角波状反射格子を形成し、
２つの平行光光源を短冊状凸反射面の頂部における短軸方向接線の傾斜に等しい仰角で対称方向に設け、
対称方向にある平行光光源双方からの平行光は夫々、平行光に並ぶ方向に配置された短冊状凸反射面側に入射せずに、反射格子の光源を向いた側の反射面だけに入射して、
対を成す短冊状凸反射面により同一放射角で光束を拡げて反射し、複数光源からの光を水平面の概略鉛直方向に反射することを特徴とする照明装置。
【請求項４】
導光板底部の水平面の上側に請求項３に記載の長辺同士が接した稜に対称な短冊状凸反射面を画素ピッチＸで配置して三角波状反射格子を形成し、
２つの平行光光源を短冊状凸反射面の頂部における短軸方向接線の傾斜と等しい仰角で対称方向に設け、
導光板底部の水平面の下側に短冊状凸反射面を画素ピッチＸで配置して三角波状反射格子を形成し、
短冊状凸反射面の段差ｓを画素ピッチＸで除してその逆正接による傾斜θiで水平面下側を仰角として入射する平行光光源を水平面の下側に設け、
導光板の上部にストライプ方向を三角波状反射格子の稜の方向に向けた液晶パネルを配置し、
水平面より上側の対をなす短冊状凸反射面で反射した２つの反射光と、水平面より上側の凸反射面のピッチ間に水平面より下側の短冊状凸反射面で反射した別色光を透過させて液晶パネルの画素に照射することにより３色光以上の混色を行なうことを特徴とする請求項３に記載の照明装置。
【請求項５】
導光板底部の水平面上に請求項３に記載の長辺同士が接した稜に対称な短冊状凸反射面を画素ピッチＸで配置して三角波状反射格子を形成し、
２つの平行光光源を短冊状凸反射面の頂部における接線の傾斜に等しい仰角で対称方向に設け、
前記導光板の下側に短冊状凸反射面を画素ピッチＸで配置して三角波状反射格子を形成した別の導光板を設け、
短冊状凸反射面の段差ｓを画素ピッチＸで除してその逆正接による傾斜θiを仰角として入射する平行光光源を下側の導光板に設け、
上側導光板の上部に液晶パネルのストライプ方向を三角波状反射格子の稜の方向に配置し、
上側導光板の対をなす短冊状凸反射面で反射した２つの反射光と、上側導光板の凸反射面のピッチ間に下側の導光板の短冊状凸反射面で反射した別色光を透過させて液晶パネルの画素に照射することにより３色光以上の混色を行なうことを特徴とする請求項３に記載の照明装置。
【請求項６】
平面の基準面上に周囲媒体より屈折率の大きい物質からなる複数の二等辺三角柱状体を並べ、
二等辺三角柱状体の傾斜面が基準面の法線となす角度を、屈折面への入射角と屈折角との差分の角度で設定して三角波状に並べて格子屈折面を形成し、
平面の基準面の下側への仰角が等しい対称方向に平行光光源を設け、
基準面の下側から入射した双方からの平行光を屈折面の高屈折率側から低屈折率側に出射する方向に構成し、
平行光光源双方からの平行光は夫々、入射光に平行な屈折格子の屈折面に入射せずに、平行光光源に対向する側の屈折面だけに入射して基準面の鉛直上方に屈折し、
双方の平行光光源から入射した光をいずれも鉛直上方に屈折することにより出射方向を一致させて混合することを特徴とする照明装置。
【請求項７】
水平面上に短冊状凸反射面の長軸方向を光源からの平行光の進行方向に直交する方向に波状構造で並べて形成した反射格子と、
放物面鏡あるいは放物面近似曲率円鏡の一方の焦点に赤色発光素子と、もう一方の焦点に緑色発光素子を設けた構造の平行光光源、
からなる信号機の表示面であり、
水平面からの仰角が等しい対称方向に前記平行光光源を設け、
赤信号のときは赤色発光素子を点灯して反射格子で反射して赤色表示し、
緑信号のときは緑色発光素子を点灯して反射格子で反射して緑色表示し、
黄色信号のときは赤色発光素子と緑色発光素子を点灯し、反射格子に双方から平行光を入射して混色により橙黄色として認識されることを特徴とする請求項３に記載の照明装置。
【請求項８】
平面の基準面上に周囲媒体より屈折率の大きい物質からなる複数の二等辺三角柱状体を並べ、
複数の二等辺三角柱状体の傾斜面が基準面の法線となす角度を屈折面への入射角と屈折角との差分の角度で三角波状に並べて高屈折率側から低屈折率側に出射する屈折面を構成した屈折格子と、
放物面鏡あるいは放物面近似曲率円鏡の一方の焦点に赤色発光素子と、もう一方の焦点に緑色発光素子を設けた構造からなる平行光光源と、
放射角を拡げるために屈折格子の前面に設けた凹屈折面、
からなる信号機の表示面であり、
平面の基準面の下側への仰角が等しい対称方向に前記平行光光源を設け、
屈折格子に入射するための対を成す光源部の焦点に赤色発光素子と緑色発光素子を設け、
赤信号のときは赤色発光素子を点灯して屈折格子で屈折して赤色表示し、
緑信号のときは緑色発光素子を点灯して屈折格子で屈折して緑色表示し、
黄色信号のときは赤色発光素子と緑色発光素子を点灯し、屈折格子に双方から平行光を入射して混色により橙黄色として認識されることを特徴とする請求項６に記載の照明装置。
【請求項９】
反射格子あるいは屈折格子と、異なる励起波長を持つ複数の発光素子を用いて混色する照明装置であって、
励起波長の短い側の発光素子の波高値とその蛍光波長の中間域を励起波長の長い側の発光素子の波高値で補完し、
複数の蛍光域の波高値を反射格子あるいは屈折格子で加算することにより励起光の波高値と加算された蛍光域の波高値を概略均等に混合することを特徴とする請求項１、請求項３または請求項６に記載の照明装置。
【請求項１０】
放熱基板の水平面上に、短冊状凸反射面あるいは短冊状平面反射面を形成して三角波状構造で並べて反射格子を形成し、
水平面からの仰角が等しい対称方向に平行光光源を設け、
放熱基板上に複数の前記反射格子による構成単位を横方向に並べ、一部の反射格子構成単位を傾けることによりカットオフラインの形状に折り曲げて構成し、
横方向の反射格子列を複数用い、これを縦に並べて構成した車両用前照灯であって、
横方向の反射格子列を縦に並べた全ての列を点灯することによって走行ビームを照射し、横方向の反射格子列を縦に並べた一部の列を点灯することによりすれ違いビームを照射することを特徴とする請求項３に記載の照明装置。
【手続補正書】
【提出日】平成21年9月3日(2009.9.3)
【手続補正１】
【補正対象書類名】特許請求の範囲
【補正対象項目名】請求項２
【補正方法】変更
【補正の内容】
【請求項２】
基板の水平面上に菱形の平面反射面の一方の対角線を基板の水平面に平行にして、３方向にある平行光光源からの平行光の進行方向に直交する方向に夫々菱形の平面反射面を配置し、
隣接する菱形の平面反射面の水平対角線より上側にある辺同士を接して三角錐状に並べることにより水平面より上側に凸型の三角錐反射格子を形成し、
隣接する菱形の平面反射面の水平対角線より下側にある辺同士を接して三角錐状に並べることにより水平面より下側に凹型の三角錐反射格子を形成し、
水平面から等しい仰角をなし３方向にある平行光光源からの平行光が夫々隣接する２方の反射面には入射せずに、三角錐反射面の光源を向いた側の反射面だけに入射して基板平面の鉛直上方に反射し、
３方向から入射した光はいずれも鉛直上方に反射することにより出射方向を一致させて混合することを特徴とする照明装置。
【手続補正２】
【補正対象書類名】特許請求の範囲
【補正対象項目名】請求項３
【補正方法】変更
【補正の内容】
【請求項３】
水平面上に短冊状凸反射面の長辺を水平面に接して、短冊状凸反射面の長軸方向を光源からの平行光の進行方向に直交する方向に配置し、
短冊状凸反射面の長辺同士を接して稜に対称に並べ、これを連続して配置することにより三角波状反射格子を形成し、
短冊状凸反射面の短軸方向は、頂稜部における短軸方向接線が水平面となす傾斜α、谷部における短軸方向接線が水平面となす傾斜βである湾曲を有し、
２つの平行光光源を短冊状凸反射面の頂部における短軸方向接線の傾斜αに等しい仰角で対称方向に設け、
水平面からの傾斜αで入射した平行光が凸反射面で反射して放射角γで光束を拡大するとき、α、β、γの関係を、
α＝３０°−γ／３
β＝４５°−α／２＋γ／２
で設定することにより、
対称方向にある平行光光源双方からの平行光は夫々、入射光に略平行な方向に配置された短冊状凸反射面側に入射せずに、反射格子の光源を向いた側の反射面だけに入射して、
対を成す短冊状凸反射面により同一放射角で光束を拡げて反射し、複数光源からの光を水平面の概略鉛直方向に反射することを特徴とする照明装置。
【手続補正３】
【補正対象書類名】特許請求の範囲
【補正対象項目名】請求項４
【補正方法】変更
【補正の内容】
【請求項４】
導光板底部の水平面の上側に短冊状凸反射面の長辺を水平面に接して、短冊状凸反射面の長軸方向を光源からの平行光の進行方向に直交する方向に配置し、
短冊状凸反射面の長辺同士を接して稜に対称に並べ、
液晶サブ画素の透過部の幅Ｗ、凸反射面から被照射面までの距離ｔ、凸反射面の傾斜に沿った曲面長ｄに応じて曲率半径ｒが
ｒ＝２・ｔ・ｄ／（Ｗ−ｄ／√２）
で設定される短冊状凸反射面の短軸方向の曲率半径とし、
長辺同士が接した稜に対称な短冊状凸反射面を画素幅Ｘのピッチで配置して三角波状反射格子を形成し、
入射光の傾斜は短冊状凸反射面の頂部と１画素幅隣の短冊状凸反射面が水平面に接する位置を結ぶ線のため、短冊状凸反射面の段差ｓを画素幅Ｘで除してその逆正接による傾斜
θi＝ｔａｎ−１（ｓ／Ｘ）とする仰角で、２つの平行光光源を対称方向に設け、
導光板底部の水平面の下側に短冊状凸反射面を画素幅Ｘのピッチで配置して三角波状反射格子を形成し、
短冊状凸反射面の段差ｓを画素幅Ｘで除してその逆正接による傾斜θiで水平面下側を仰角として入射する平行光光源を水平面の下側に設け、
ストライプ方向を三角波状反射格子の稜の方向に向けた液晶パネルを導光板の上部に配置し、
水平面より上側の対をなす短冊状凸反射面で反射した２色の反射光と、水平面より上側の凸反射面のピッチ間に水平面より下側の短冊状凸反射面で反射した別色光を透過させて液晶パネルの画素に照射することにより３色光以上の混色を行なうことを特徴とする照明装置。
【手続補正４】
【補正対象書類名】特許請求の範囲
【補正対象項目名】請求項５
【補正方法】変更
【補正の内容】
【請求項５】
導光板底部の水平面上に短冊状凸反射面の長辺を水平面に接して、短冊状凸反射面の長軸方向を光源からの平行光の進行方向に直交する方向に配置し、
短冊状凸反射面の長辺同士を接して稜に対称に並べ、
液晶サブ画素の透過部の幅Ｗ、凸反射面から被照射面までの距離ｔ、凸反射面の傾斜に沿った曲面長ｄに応じて曲率半径ｒが
ｒ＝２・ｔ・ｄ／（Ｗ−ｄ／√２）
で設定される短冊状凸反射面の短軸方向の曲率半径とし、
長辺同士が接した稜に対称な短冊状凸反射面を画素幅Ｘのピッチで配置して三角波状反射格子を形成し、
入射光の傾斜は短冊状凸反射面の頂部と１画素幅隣の短冊状凸反射面が水平面に接する位置を結ぶ線のため、短冊状凸反射面の段差ｓを画素幅Ｘで除してその逆正接による傾斜
θi＝ｔａｎ−１（ｓ／Ｘ）とする仰角で、２つの平行光光源を対称方向に設け、
短冊状凸反射面を画素幅Ｘのピッチで配置して三角波状反射格子を形成した別の導光板を前記導光板の下側に設け、
短冊状凸反射面の段差ｓを画素幅Ｘで除してその逆正接による傾斜θiを仰角として入射する平行光光源を下側の導光板に設け、
上側導光板の上部に液晶パネルのストライプ方向を三角波状反射格子の稜の方向に配置し、
上側導光板の対をなす短冊状凸反射面で反射した２色の反射光と、上側導光板の凸反射面のピッチ間に下側の導光板の短冊状凸反射面で反射した別色光を透過させて液晶パネルの画素に照射することにより３色光以上の混色を行なうことを特徴とする照明装置。